(57)【要約】【課題】汚水処理槽の構造を簡素化しつつ汚水含有固形物を合理的に減容化処理することが可能な技術を提供する。【解決手段】少なくとも二つの好気性処理槽１１５，１２１を含む複数の処理槽をハウジング１１０内に収容するとともに、流入被処理水を各処理槽に順次移送して処理する汚水処理槽１０３であって、好気性処理槽１１５，１２１の少なくとも一つにつき、当該好気性処理槽１１５よりも下流側に位置するとともに他の好気性処理槽１２１よりも上流側に位置する処理槽１１７から当該好気性処理槽１１５へと被処理水が還流し、当該被処理水が含有する固形成分を減容化処理することを特徴とする汚水処理槽１０３を構成する。【選択図】　　　　図２
2004025031.tif 000002
【特許請求の範囲】
【請求項１】
少なくとも二つの好気性処理槽を含む複数の処理槽をハウジング内に収容するとともに、前記ハウジングへ流入した被処理水を各処理槽に順次移送して処理する汚水処理槽であって、
前記好気性処理槽の少なくとも一つにつき、当該好気性処理槽よりも下流側に位置するとともに当該好気性処理槽以外の好気性処理槽よりも上流側に位置する処理槽から当該好気性処理槽または当該好気性処理槽の上流側へと被処理水が還流し、当該被処理水が含有する固形成分を減容化処理することを特徴とする汚水処理槽。
【請求項２】
請求項１に記載の汚水処理槽であって、
前記複数の処理槽は、前記ハウジングに流入した被処理水の上流側より順に、第１の好気処理槽である曝気槽、第１の沈殿槽、第２の好気処理槽である担体流動槽、および第２の沈殿槽を有し、
前記第１の沈殿槽側から前記曝気槽側へと被処理水を還流することによって、当該被処理水が含有する固形成分が減容されることを特徴とする汚水処理槽。
【請求項３】
請求項２に記載の汚水処理槽であって、前記ハウジング内に汚泥貯留槽をさらに有し、前記第２の沈殿槽にて被処理水から分離された固形成分は、前記汚泥貯留槽に移送されるとともに、当該汚泥貯留槽にて生じた分離水はさらに前記複数の好気処理槽の少なくとも一つに送られることを特徴とする汚水処理槽。
【請求項４】
請求項２または３に記載の汚水処理槽であって、前記第１の沈殿槽側から前記曝気槽側への被処理水の還流は、エアリフトポンプまたは水中ポンプを介して行われることを特徴とする汚水処理槽。
【請求項５】
請求項４に記載の汚水処理槽であって、前記エアリフトポンプまたは水中ポンプを用いた還流経路は、前記第１の沈殿槽内の被処理水中の固形成分の沈降箇所ないしその近傍に接続されることを特徴とする汚水処理槽。
【請求項６】
粉砕機と汚水処理槽とを有し、厨芥排水を処理するための厨芥排水処理システムであって、
前記粉砕機によって固形成分が粉砕処理された前記厨芥排水が移送される前記汚水処理槽として、請求項１から５までのいずれかに記載の汚水処理槽が用いられていることを特徴とする厨芥排水処理システム。
【請求項７】
少なくとも二つの好気性処理槽を含む複数の処理槽をハウジング内に収容した汚水処理槽による汚水の処理方法であって、
前記ハウジングへ被処理水を流入して各処理槽に順次移送するに際し、前記好気性処理槽の少なくとも一つにつき、当該好気性処理槽よりも下流側に位置するとともに当該好気性処理槽以外の好気性処理槽よりも上流側に位置する処理槽へ移送された被処理水を再度当該好気性処理槽またはその上流側へ還流することにより、当該被処理水が含有する固形成分を減容するステップを有することを特徴とする汚水の処理方法。
【請求項８】
厨芥排水を粉砕機を通じて汚水処理槽に移送して処理する厨芥排水の処理方法であって、
前記粉砕機によって固形成分が予備的に細分化された状態で、前記厨芥排水を前記汚水処理槽のハウジング内に流入するとともに、
流入した前記厨芥排水を、前記ハウジング内に設けられた少なくとも二つの好気性処理槽を含む複数の処理槽に順次通じて処理するステップを有し、
さらに前記好気性処理槽の少なくとも一つに関し、当該好気性処理槽よりも下流側に位置するとともに当該好気性処理槽以外の好気性処理槽よりも上流側に位置する処理槽へ移送された前記厨芥排水を再度当該好気性処理槽側へ還流することにより、当該厨芥排水が含有する固形成分を減容化するステップを有することを特徴とする厨芥排水の処理方法。
【発明の詳細な説明】
【０００１】
【発明の属する技術分野】
本発明は汚水処理槽の構築技術に関し、詳しくは被処理水における固形成分の減容化処理の合理化に関する。
【０００２】
【従来の技術】
汚水処理槽構築技術の一例として、特開平１０−１９２８３２号では、厨芥排水を一度貯留槽に収容するとともに当該厨芥排水から固形成分を沈殿分離し、当該固形成分については好気性可溶化槽に移送し減容化処理を経た上で貯留槽に還流し、固形成分を取り除いた排水については接触曝気槽に移送して生物処理を遂行するといったように、厨芥排水から固形成分を分離するとともに、当該固形成分と分離排水のそれぞれにつき、好気性可溶化槽および接触曝気槽という個別に準備された処理系統で処理する手法が開示されている。
【０００３】
かかる従来の手法によれば、汚水を処理するに際し、分離した固形成分と排水とをそれぞれ異なる処理系統で処理するため、汚水処理槽の構造をコンパクト化する際の阻害要因となりやすい。
【０００４】
【発明が解決しようとする課題】
本発明は、かかる点に鑑みてなされたものであり、汚水処理槽の構造を簡素化しつつ汚水含有固形物を合理的に減容化処理することが可能な技術を提供することを課題とする。
【０００５】
【課題を解決するための手段】
上記課題を達成するため、各請求項記載の発明が構成される。
請求項１に記載の発明によれば、汚水処理槽につき、少なくとも二つの好気性処理槽を含む複数の処理槽をハウジング内に収容するとともに、ハウジングへ流入した被処理水を各処理槽に順次移送して処理するよう構成する。そして本発明では好気性処理槽の少なくとも一つにつき、当該好気性処理槽よりも下流側に位置するとともに、当該好気性処理槽以外の好気性処理槽よりも上流側に位置する処理槽から当該好気性処理槽または当該好気性処理槽の上流側へと被処理水が還流し、当該被処理水が含有する固形成分を減容化するよう構成する。
【０００６】
本発明では、ハウジングへ流入した被処理水をハウジング内の各処理槽に順次通じるとともに、好気性処理槽の少なくとも一つにつき、その下流側に位置する処理槽から当該好気性処理槽またはその上流側へと被処理水を還流する。還流元である下流側の処理槽は、還流先となる好気性処理槽以外の好気性処理槽よりも上流側に位置するよう構成される。これにより還流先の好気性処理槽において被処理水の好気性処理を重畳的に繰り返すことが可能となり、かかる重畳的好気性処理によって固形成分を中心とした被処理水の減容が促進されるため、従来のように被処理水から分離された固形成分を専用の減容槽で減容化処理する構成に比べ、汚水処理槽の構造を簡素化かつ合理化することができる。
【０００７】
もちろん本発明では、複数の好気性処理槽の全部、あるいは一部ないし一つについて、下流側に位置する処理槽から被処理水を還流するよう構成することが可能である。また下流側処理槽からの還流先としては、好気性処理槽自体へ被処理水を還流させてもよいし、あるいは好気性処理槽よりも上流側の処理槽ないし上流側流路に還流させることで、還流箇所よりも下流の当該好気性処理槽へ被処理水が繰り返し投入される形態を採用してもよい。なお被処理水が含有する固形成分の「減容」については、好気性処理槽への還流による重畳的な処理を通じて当該固形成分が排水に可溶化処理されて、汚水処理槽の構造の合理化を達成できれば足りる趣旨であり、当該固形成分が滅失する態様および減少する態様のいずれも広く包含する。また「減容化」とは、被処理水中の固形成分をできるだけ当該被処理水中に可溶な状態とすることによって、被処理水の処理効率を向上する概念を含むので、本明細書では、「固形成分の減容化」とは「被処理水（あるいは厨芥排水）の減容化」と実質的に同義のものとし、さらに本明細書中の「減容化」ないし「減容化処理」の用語は、「可溶化」ないし「可溶化処理」の意味を包含するものとする。
【０００８】
（請求項２に記載の発明）
請求項２に記載の発明では、上記固形成分の減容化に関する汚水処理槽構造の簡素化および合理化に加え、さらに第１の沈殿槽側から曝気槽側への被処理水の還流処理を通じて、被処理水における有機汚濁成分の多くが好気処理されるため、担体流動槽における生物処理時のＢＯＤ（Ｂｉｏｃｈｅｍｉｃａｌ　ｏｘｙｇｅｎ　ｄｅｍａｎｄ：生物化学的酸素要求量）負荷を低減し、処理槽全体における汚水処理効率を向上することが可能となる。なお本明細書において、「曝気槽側への還流」には曝気槽自体への還流のみならず、曝気槽の上流側へ被処理水を還流することによって結果的に当該被処理水が曝気槽に再投入される形態も包含されるものとし、「第１の沈殿槽側からの還流」には第１の沈殿槽自体からの還流のみならず、第１の沈殿槽の下流側からの還流も包含されるものとする。
【０００９】
（請求項３に記載の発明）
請求項３に記載の発明では、上記請求項２に記載の発明に対し、さらに第２の沈殿槽で生じた固形成分を汚泥貯留槽に貯留しつつ、汚泥中の分離水を複数の好気処理槽の少なくとも一つにて再処理するので、重畳的な好気処理による汚水の処理効率の向上に資することになる。分離水は好気処理槽のいずれか一つに移送してもよいし、複数の好気処理槽に移送してもよい。なお、分離水を上記曝気槽に再投入する場合には、再び汚水処理槽の上流側からの再処理により汚水処理の効率を一層向上することが可能である。
【００１０】
（請求項４に記載の発明）
請求項４に記載の発明によれば、上記した請求項２ないし３に記載の汚水処理槽につき、エアリフトポンプまたは水中ポンプを介することによって第１の沈殿槽側から曝気槽側への被処理水の還流が行われる。本発明によれば、エアリフトポンプまたは水中ポンプを利用することで被処理水の還流を確実に行うことが可能となる。
【００１１】
（請求項５に記載の発明）
請求項５に記載の発明によれば、上記請求項４に記載の発明において、エアリフトポンプまたは水中ポンプによる還流経路は、第１の沈殿槽における被処理水中の固形成分の沈降箇所ないしその近傍に接続される。これにより、とりわけ減容化処理の必要性が高い固形成分を中心として、当該被処理水を第１の沈殿槽から引き抜いて曝気槽に還流させることができるため、固形成分の減容化処理の効率が一層向上されることとなる。
【００１２】
（請求項６に記載の発明）
請求項６に記載の発明では、上記した各請求項記載の汚水処理槽を用いた厨芥排水処理システムが構成される。厨芥排水には食物残滓等の非水溶性の固形成分が比較的多く含まれ、しかも厨芥を粉砕処理等で予め減容化した上で単に好気性処理をするだけではＢＯＤ値上昇等に効果的に対処できないことに鑑み、とりわけ厨芥排水に対しては、本発明のように被処理水を還流することで好気性処理を重畳的に繰り返し、被処理水中の固形成分の減容化処理を合理的に行うことができる汚水処理槽を用いた処理システムの構成が効果的である。
【００１３】
（請求項７に記載の発明）
請求項７に記載の発明によれば、上記請求項１に記載した汚水処理槽における被処理水の処理手順と実質的に同等の要素を有する汚水処理方法が構成される。すなわち、被処理水中の固形成分を減容化処理するのに専用の減容槽を格別に準備する必要がなく、合理的な汚水処理を遂行することが可能な汚水処理方法が構成されることとなる。
【００１４】
（請求項８に記載の発明）
請求項８に記載の発明によれば、上記請求項６に記載した厨芥廃水処理システムにおける厨芥排水処理手順と実質的に同等の要素を有する厨芥排水の処理方法が構成される。すなわち厨芥排水中の残滓等の固形成分を減容化処理するのに専用の減容槽を格別に準備する必要がなく、合理的な汚水処理を遂行することが可能な厨芥排水処理方法が構成されることになる。
【００１５】
【発明の実施の形態】
以下、本発明の実施の形態である厨芥排水処理システム１００、厨芥排水処理槽１０３および厨芥排水の処理方法について図面を参照しつつ説明する。図１に模式的に示すように、本実施の形態に係る厨芥排水処理システム１００は、厨芥排水中に含まれる厨芥を予備的に粉砕するための粉砕機１０１と、粉砕機１０１からの厨芥排水を受けて処理するための厨芥排水処理槽１０３とを有し、戸建住宅、集合住宅、飲食店あるいは食品加工工場等から生じた厨芥排水を受承する。なお図１では、代表例として住宅厨房を符号１５０として示している。「厨芥排水」は食物残滓等の固形成分を含有する排水として規定され、本発明における被処理水ないし汚水の一例を示す。また厨芥排水処理槽１０３は本発明における汚水処理槽に対応する。
【００１６】
粉砕機１０１では、続く厨芥排水処理槽１０３において減容化を容易にするための予備的処理として、厨芥排水中の比較的大寸の残滓が粉砕されて細分化される。粉砕機１０１で粉砕・細分化された固形成分を含有する厨芥排水は次に厨芥排水処理槽に移送され、固液分離処理および生物処理を受けた上で厨芥排水システム１００外へ放流される。
【００１７】
本発明の実施に係る厨芥排水処理槽１０３の構成が図２に模式的に示される。図２に示すように厨芥排水処理槽１０３は、処理槽ハウジング１１０内に形成された曝気槽１１５、第１沈殿槽１１７、担体流動槽１２１、第２沈殿槽１２３、消毒槽１２４、汚泥貯留槽１２５の各処理槽を有する。
【００１８】
また各処理槽のうち曝気槽１１５、第１沈殿槽１１７、担体流動槽１２１、第２沈殿槽１２３および消毒槽１２４は、処理槽ハウジング１１０に設けられた流入部１１３から流出部１２７に至る処理流路１１１上に、この順で配置される。一方、汚泥貯留槽１２５は、処理流路１１１とは独立して配置され、第２沈殿槽１２３から曝気槽１１５へと至る還流流路１２６上に配置される。
【００１９】
流入部１１３を通じて処理槽ハウジング１１０内に流入した厨芥排水については、処理流路１１１を通じて曝気槽１１５に移送される。曝気槽１１５内には特に図示しないものの散気装置が設定されており、曝気槽１１５内に向けて散気用エアが供給される。この散気用エアにより曝気槽１１５内の好気性微生物が当該曝気槽１１５へ導かれた厨芥排水中の有機性汚濁物に対して好気性処理（酸化処理）を遂行することとなる。
【００２０】
曝気槽１１５において好気性処理を受けた厨芥排水は、次に第１沈殿槽１１７に移送される。第１沈殿槽１１７では、厨芥排水中の固形成分を槽下部に沈降させることで固液分離処理が行われる。第１沈殿槽１１７内の厨芥排水は、固液分離処理によって、槽上部側（上澄側）の排水成分と、槽下部側（沈降側）の固形成分とに分離される。
【００２１】
本実施の形態では、第１沈殿槽１１７から曝気槽１１５に至る還流経路１２０が形成されている。還流経路１２０にはエアリフトポンプ１１９が配置されており、第１沈殿槽１１７内の厨芥排水を引き抜いて曝気槽１１５に還流可能に構成されている。エアリフトポンプ１１９が配置された還流経路１２０は、特に図示しないものの、第１沈殿槽１２０の下部側、厨芥排水中の固形成分の沈降領域に接続されている。
【００２２】
従って第１沈殿槽１１７内の厨芥排水は、沈降した固形成分を中心としてエアリフトポンプ１１９を介して曝気槽１１５へその一部が還流可能とされる。
【００２３】
一方、第１沈殿槽１１７において固形成分が分離した上澄側の排水は、処理流路１１１下流側の担体流動槽１２１に移送される。特に詳細を図示しないものの、担体流動槽１２１内には、多数の粒状担体が流動可能に充填された生物処理領域と濾過処理領域が形成されている。粒状担体は、例えば中空円筒状に形成されて有機汚濁物を好気性処理する好気性微生物を多数着床させている。そして通常運転時においては、生物処理領域に散気エアを供給して好気処理を行うとともに、当該好気処理で生じたＳＳ等の固形生成物を濾過処理領域で濾過処理している。また所定時間毎に濾過処理領域に強い逆洗エアを供給し、当該濾過処理領域内の粒状担体を洗浄し、濾過時における流動担体の目詰まりを防止する構成とされている。
【００２４】
担体流動槽１２１における好気性処理を経た厨芥排水は、処理流路１１１を経由して第２沈殿槽１２３へ移送される。第２沈殿槽１２３では、担体流動槽１２１において好気性処理された厨芥排水に対し、上記第１沈殿槽１１７と同様に固液分離処理が行われる。すなわち第２沈殿槽１２３に移送された厨芥排水につき、その含有固形成分を槽下部に沈降させることで固液分離処理を行う。この結果第２沈殿槽１２３内の厨芥排水は、槽上部側（上澄側）の排水成分と、槽下部側（沈降側）の固形成分に分離されることとなる。第２沈殿槽１２３において固形成分が分離した槽上部側（上澄側）の排水は、消毒槽１２４において適宜消毒処理を受けつつ、処理流路１１１下流側に位置する流出部１２７から厨芥排水処理槽１０３の処理槽ハウジング１１０外へ放流されることとなる。
【００２５】
一方、第２沈殿槽１２３は、還流流路１２６を経由して汚泥貯留槽１２５に対しても接続され、還流流路１２６は便宜上特に図示しないエアリフトポンプによって第２沈殿槽１２３の下部側、すなわち第２沈殿槽１２３内の厨芥排水中の固形成分の沈降領域に接続されている。これにより第２沈殿槽１２３内の厨芥排水は、沈降固形成分を中心として還流流路１２６を通じて汚泥貯留槽１２５へ引き抜かれ移送されることとなる。移送された固形成分は汚泥貯留槽１２５に汚泥として貯留されるとともに、定期的に引き抜き除去される。
【００２６】
なお汚泥貯留槽１２５にて更に生じた排水成分については、還流流路１２６を経由して曝気槽１１５に戻されて、再度処理流路に投入される。
【００２７】
上記のように構成される本実施の形態に係る厨芥排水処理システム１００および厨芥排水処理槽１０３の作用、排水処理手順について説明する。図１に示す厨房１５０から排出された食物残滓を含む厨芥排水は、厨芥排水処理システム１００に投入され、粉砕機１０１および厨芥排水処理槽１０３における各処理を経て厨芥排水処理システム１００外へ放流される。厨芥排水処理システム１００に投入された厨芥排水のうち食物残滓等の固形成分は粉砕機１０１によって粉砕され細分化される。かかる粉砕機１０１における固形成分の粉砕・細分化は、続く厨芥排水処理槽１０３における汚水処理のための予備的工程の意義を有する。
【００２８】
粉砕機１０１によって固形成分が細分化された厨芥排水は、次に厨芥排水処理槽１０３に移送される。図２に示すように、厨芥排水処理槽１０３の流入部１１３を経由して処理槽ハウジング１１０内に投入された厨芥排水は、処理流路１１１を通じて曝気槽１１５に送られる。曝気槽１１５では散気用エアを介して厨芥排水に対する好気性処理が行われる。この時、厨芥排水に含まれる固形成分についても曝気槽１１５内の好気性微生物によって可溶化処理されるため、曝気槽１１５にて厨芥排水の減容化が促進されることとなる。
【００２９】
曝気槽１１５で好気性処理を受けた厨芥排水は、処理流路１１１を経由して第１沈殿槽１１７に送られ固液分離処理を受ける。第１沈殿槽１１７にて固形成分が分離沈降した上澄側の排水は、処理流路１１１を経由して担体流動槽１２１に移送されて好気性処理を受ける。
【００３０】
一方、上述のように厨芥排水の一部、とりわけ第１沈殿槽１１７下部に沈降した厨芥排水含有固形成分については、エアリフトポンプ１１９が設けられた還流流路１２０を通じて曝気槽１１５に還流される。本実施の形態では、還流流路１２０は第１沈殿槽１１７の下部側に接続されているため、当該沈殿槽１１７内の下部に沈降した固形成分は効率よく曝気槽１１５に還流されることが可能である。なおエアリフトポンプ１１９による引き抜き作用によって第１沈殿槽１１７内の沈降固形成分以外の厨芥排水の一部についても曝気槽１１５へ還流されることになるが、再度上流側処理槽である曝気槽１１５からの処理を繰り返すものであり、厨芥排水処理槽１０３内の排水量が減少して不都合をきたすことはない。
【００３１】
以上のように本実施の形態では、第１沈殿槽１１７の固液分離処理で厨芥排水から分離して沈降した固形成分につき、エアリフトポンプ１１９が設定された還流流路１２０を介して曝気槽１１５に還流し好気性処理を繰り返すことになるので、曝気槽１１５と第１沈殿槽１１７との間での一次的な好気性処理および固液分離処理を重畳的に施し、厨芥排水中の固形成分を可能な限り減容化（可溶化）することが可能となる。
【００３２】
第１沈殿槽１１７から担体流動槽１２１へ送られた厨芥排水は、当該担体流動槽１２１と第２沈殿槽１２３との間で二次的な好気性処理および固液分離処理を受ける。上記のように厨芥排水は還流流路１２０を介して曝気槽１１５と第１沈殿槽１１７との間での処理を繰り返し受けることで減容化が促進されているため、担体流動槽１２１でのＢＯＤ負荷を軽減し、当該担体流動槽１２１での好気性処理の効率を一層向上することが可能である。
【００３３】
担体流動槽１２１から第２沈殿槽１２３に送られた厨芥排水は、当該第２沈殿槽１２３にて固液分離処理を受ける。そして第２沈殿槽１２３の槽下部に沈降した固形成分は、図示しないエアリフトポンプが設定された還流流路１２６を通じて汚泥貯留槽１２５に送られ、当該汚泥貯留槽１２５から処理槽外部に適宜引き抜かれる。さらに汚泥貯留槽１２５内に生じた残留排水については還流流路１２６を通じて曝気槽１１５に還流されて、再度処理に投入される。
【００３４】
一方、第２沈殿槽１２３で固形成分が分離された厨芥排水は、処理流路１１１を通じて消毒槽１２４に送られ、適宜消毒処理を経た上で流出部１２７から外部に放流される。
【００３５】
本実施の形態では、厨芥排水処理システム１００において、厨芥排水処理槽１０３に投入された厨芥排水を処理槽ハウジング内１１０内の各処理槽に順次通じるとともに、第１の好気性処理槽である曝気槽１１５につき、その下流側に位置する第１沈殿槽１１７から還流流路１２０を介して当該曝気槽１１５に厨芥排水を還流する。これにより曝気槽１１５における厨芥排水の好気性処理を重畳的に繰り返すことが可能となり、食物残滓等の固形成分を中心とした厨芥排水の減容化が促進される。従って、従来のように厨芥排水から分離された固形成分につき、専用の減容槽を準備して減容化処理する構成に比べ、厨芥排水槽の構造を簡素化かつ合理化することが可能となった。
【００３６】
なお本実施の形態につき、上記還流流路１２０のみならず第２沈殿槽１２３から担体流動槽１２１に至る第２の還流流路を併せて設定し、曝気槽１１５のみならず担体流動槽１２１においても、固形成分を中心とした厨芥排水の減容化を図る構成も可能である。また還流流路１２０を廃止するとともに、第２沈殿槽１２３から担体流動槽１２１に至る第２の還流流路のみを設定する構成も可能である。
【００３７】
また本実施の形態では、第１沈殿槽１１７から曝気槽１１５へと厨芥排水が還流する形態を採用したが、例えば還流流路１２０によって厨芥排水を流入部１１３と曝気槽１１５間の処理流路１１１途上に還流することも可能である。さらに第１沈殿槽１１７よりも下流側から還流流路１２０によって厨芥排水を引き抜いて還流する形態も採用可能である。
【００３８】
【発明の効果】
本発明によれば、汚水処理槽の構造を簡素化しつつ汚水含有固形物を合理的に減容化処理することが可能な技術が提供されることとなった。
【図面の簡単な説明】
【図１】本発明の実施の形態に係る厨芥排水処理システムの全体構成を概略的に示す。
【図２】本実施の形態に係る厨芥排水処理システムに用いられる厨芥排水処理槽の全体構成を概略的に示す。
【符号の説明】
１００　厨芥排水処理システム
１０１　厨芥粉砕機
１０３　厨芥排水処理槽
１１０　処理槽ハウジング
１１１　処理流路
１１３　流入部
１１５　曝気槽
１１７　第１沈殿槽
１１９　エアリフトポンプ
１２０　還流流路
１２１　担体流動槽
１２３　第２沈殿槽
１２４　消毒槽
１２５　汚泥貯留槽
１２６　還流流路
１２７　流出部
１５０　厨房
【図１】
2004025031.tif 000003
【図２】
2004025031.tif 000004